(57)【要約】【課題】システムキッチンにおいてビルトイン食器洗い乾燥器下を有効に活用する。【解決手段】システムキッチンにおいて上部に食器洗い乾燥機１１を配置し、その配管１９がその底面に存在するとき、その配管１９を考慮して吸排気を分割したダクト１８を冷蔵庫キャビネット１４の下部に取り付け、意匠パネルドア２１とドア断熱材２２で形成されたシステムキッチン組み込み用冷蔵庫１２をシステムキッチン外枠１３の食器洗い乾燥器１１の下部に設置することによりその空間の温度環境を一定に保ち、空間の有効利用が可能となる。【選択図】図３
2005337682.tif 000002
【特許請求の範囲】
【請求項１】
システムキッチンの一区画において上部に食器洗い乾燥機を配置し、その下部に収納し、吸排気ダクトが収納部の下部と食器洗い乾燥機用の給排水配管の間にあることを特徴としたシステムキッチン組み込み式冷蔵庫。
【請求項２】
ダクトは吸排気で分割し、吸気側に埃除去用のフィルターを配設したことを特徴とする請求項１記載のシステムキッチン組み込み式冷蔵庫。
【請求項３】
吸気側ダクトに配設された埃除去用のフィルターとシステムキッチンの化粧板を一体にしたことを特徴とする請求項１または２記載のシステムキッチン組み込み式冷蔵庫。
【請求項４】
吸排気で分割されたダクトの排気口が食器洗い乾燥機用給排水配管の蛇口部の上部に配置することを特徴とする請求項１から３のいずれか一項に記載のシステムキッチン組み込み式冷蔵庫。
【請求項５】
吸排気ダクトの経路中に空気清浄装置を配設したことを特徴とする請求項１から４のいずれか一項に記載のシステムキッチン組み込み式冷蔵庫。
【請求項６】
冷却方式にペルチェ素子を利用した電子式冷蔵庫としたことを特徴とした請求項1から５のいずれか一項に記載のシステムキッチン組み込み式冷蔵庫。
【発明の詳細な説明】
【技術分野】
【０００１】
本発明はシステムキッチンの一区画の食器洗い乾燥機下部の空間に収納できるよう構成した冷蔵庫の収納形態及びその構成に関するものである。
【背景技術】
【０００２】
従来システムキッチン等に収納される機器としては、電気式レンジオーブン・テーブル、ガス式オーブン・テーブル、食器洗い乾燥機、生ごみ処理機等が主なものである。特に最近は食器洗い乾燥機でも、ボックス状の収納部が引き出し式であるものが主流となり、上部より食器がセットできるタイプのものが増えてきて、キッチンのカウンター高さで食器がセットできる。そのため、食器洗い作業が非常にやりやすくなっている。
【０００３】
しかし、その食器洗い乾燥機の下については、食器洗い乾燥機用の給排水配管があり、例えば、その部分については、嵌め殺しにして無効空間にしている場合がある。システムキッチンの他の区画には保冷庫を設置している例はある（例えば、特許文献１参照）。
【０００４】
図８は、特許文献１に記載されたシステムキッチン用の保冷庫を示すものである。図８に示すように、台所収納体の組付け空間１に組み込まれる外ケース２に出し入れされる容器状の収納体３と,ペルチェ素子４、送風ファン５、及び熱交換器６等で構成し、容器状の収納体を周囲温度より低い温度にした保冷庫をシステムキッチンの収納部の一部に配設することで、食品の変質や味落ちを防止できる。また保冷庫の左右に熱交換器用の空気導入経路７と排気経路８を配設することでシステムキッチンの収納部に収まった状態でも吸排気スペースを確保できる。
【特許文献１】特開２００３−１６１５６５号公報
【発明の開示】
【発明が解決しようとする課題】
【０００５】
しかしながら、上記従来構成では、食器洗い乾燥機の下部に設置する場合、幅方向の設置スペースが少ない為、左右に吸排気スペースを確保すると幅方向の収納量が少なくなるという課題を有していた。
【０００６】
本発明は、上記従来の課題を解決するものもので、システムキッチンの一区画の食器洗い乾燥機下部の空間に収納できるよう構成した冷蔵庫を提供することを目的とする。
【課題を解決するための手段】
【０００７】
上記従来の課題を解決するために、本発明のシステムキッチン組み込み式冷蔵庫は、システムキッチンにおいて上部に食器洗い乾燥機を配置し、その下部の縦方向に並べて収納することとしたものである。
【０００８】
これによって、食器洗い乾燥機と食器洗い乾燥機用の給排水配管部の上下間に挟まれた空間に設置し収納することが可能となる。さらに、通常は無効空間にしていたものを温度一定の収納庫にすることができる。
【発明の効果】
【０００９】
本発明のシステムキッチン組み込み式冷蔵庫は、システムキッチン内の限られた空間において、システムキッチンの枠内に簡単にビルトイン設置でき、それにより、その空間の温度を一定にし、また収納量を確保することができ、空間部の有効利用が可能となり、システムキッチンの使い勝手が向上する。
【発明を実施するための最良の形態】
【００１０】
請求項１に記載の発明は、システムキッチンの一区画の食器洗い乾燥機下部と食器洗い乾燥機用給排水配管の間に、吸排気ダクトを下部に設置した冷蔵庫を収納することにより、その空間を断熱箱体と冷却ユニットと吸排気ダクトにより温度を一定にできる空間を提供することができる。
【００１１】
請求項２に記載の発明は、請求項１記載の発明において、ダクトは吸排気で分割し、吸気側に埃除去用のフィルターを配設したことにより、システムキッチン前面から誇りが除去された空気の吸排気ができる。
【００１２】
請求項３に記載の発明は、請求項１または２記載の冷蔵庫において、吸気側ダクトに配設された埃除去用のフィルターとシステムキッチンの化粧板を一体にしたことにより、外観のデザインを損なわず、冷蔵庫を設置することができる。
【００１３】
請求項４に記載の発明は、請求項１から３のいずれか一項に記載の冷蔵庫において、吸排気で分割されたダクトの排気口が食器洗い乾燥機用給排水配管の蛇口部の上部に配置することにより、食器洗い乾燥機のメンテナンスの際、蛇口部の操作が容易にできる。
【００１４】
請求項５に記載の発明は、請求項１から４のいずれか一項に記載の冷蔵庫において、吸排気ダクトの経路中に空気清浄装置を配設したことにより、冷蔵庫運転中は台所空間の空気を清浄することができる。
【００１５】
請求項６に記載の発明は、請求項１から５のいずれか一項に記載の冷蔵庫において、冷却方式にペルチェ素子を利用した電子式冷蔵庫としたことにより、寸法が制限された空間でも収納するに十分な空間を提供できる。
【００１６】
以下、本発明の実施の形態について、図面を参照しながら説明する。なお、実施の形態によってこの発明が限定されるものではない。
【００１７】
（実施の形態１）
図１は、本発明の実施の形態１におけるシステムキッチン組立時の冷蔵庫の斜視図である。
【００１８】
図において、システムキッチン本体の一部９は奥行き・幅・高さなどで様々な種類があり、調理などをするワークトップ１０はシステムキッチンの一部９の上部に構成されており、ワークトップ１０の下にビルトインされた食器洗い乾燥機１１、その下に本発明のシステムキッチン組み込み式冷蔵庫１２で構成されている。また、それらは外枠１３によって固定されシステムキッチンとして役目を果たす。
【００１９】
また、図２は、同実施例のシステムキッチン本体の一部９の外枠１３に冷蔵庫１２との挿入を示す斜視図であり、本発明の冷蔵庫１２は、冷蔵庫キャビネット１４と冷蔵庫ドア１５、冷蔵庫キャビネット１４と冷蔵庫ドア１５をシールするために用いられるガスケット１６、冷蔵庫１２の冷却システムにおける高温側の放熱を行うために前面に吸排気口１７を設けたダクト１８で構成されている。
【００２０】
さらに、図３は同実施例の外枠１３に食器洗い乾燥機１１や冷蔵庫１２を設置した時の断面図であり、冷蔵庫１２上部に設置されている食器洗い乾燥機１１への給排水を行うための配管１９、配管１９の開閉を行うことができる蛇口１９ａである。また、冷蔵庫ドア１５はシステムキッチン外観を統一するためなどに用いられる意匠パネルドア２１と冷蔵庫１２の庫内を断熱するためのドア断熱材２２を組み合わせて構成されている。さらに、冷蔵庫１２の後方には、放熱空間と外枠を仕切るための庫外カバー２３がある。ダクト１８と庫外カバー２３により、放熱風路を構成し排熱を行っている。
【００２１】
図４は同実施例のシステムキッチン組み込み式冷蔵庫の断面図であり、冷蔵庫庫内は冷却器２４と収納部２５を分ける庫内カバー２６で冷蔵庫１２の庫内を構成している。また、冷却ユニットとして冷却器２４は、ペルチェ素子２７、冷却器２４とペルチェ素子２７の熱交換させるためのヒートコンダクタ２８、ペルチェ素子２７によって出された熱を排熱するための高温側の放熱器２９で構成されている。
【００２２】
このように、システムキッチン本体の一部９にビルトイン機器を装着する場合、外枠１３に入れ込む方式をとるのが一般的である。しかし、食器洗い乾燥機１１をビルトインした場合、食器洗い乾燥機１１の配管１９がある。本発明のシステムキッチン組み込み式冷蔵庫１２では、ダクト１８を冷蔵庫本体の下部に配設しているが、配管１９を避けて効率よく放熱側のダクト１８を構成しており、また、吸気口３０は放熱器への埃付着で放熱低下を防ぐフィルター３１の面積を最大限に確保するため配管１９より前方は傾斜させている。さらに、ダクト１８の排気側は、配管の蛇口２０の上部で終端し、その部分に排気口３２を設けて配管空間に放出し、吸排気口一体型化粧板から台所空間に放出するようにしている。このように排気口を配管の蛇口の上部に配設することにより吸排気口一体型化粧板を外す事により前方から配管蛇口を操作することができる。
【００２３】
また、ダクト１８の経路中に例えば、脱臭触媒３４を配設すれば、本発明のシステムキッチン組み込み式冷蔵庫１２が運転している間、常に台所空間の臭いを吸着することができる。
【００２４】
また、配管１９が冷蔵庫１２の下にない場合でも、奥行き寸法を考慮しておけば、冷蔵庫１２は取り付けられることができ、配管１９の設置位置に関係なくビルトイン機器としてシステムキッチンに組み込むことができ、現存するあらゆる配管形状に対応できる。
【００２５】
さらに、冷蔵庫１２は、温度の設定により保冷庫や乾燥庫、温蔵庫としても使用することができる。
【産業上の利用可能性】
【００２６】
以上のように、本発明にかかる冷蔵庫は、限られた空間を有効に活用できるのでシステムキッチンなどのビルトイン機器に適用できる。
【図面の簡単な説明】
【００２７】
【図１】本発明の実施の形態１におけるシステムキッチン組立時の冷蔵庫の斜視図
【図２】本発明の実施の形態１におけるシステムキッチンの外枠に冷蔵庫の挿入を示す斜視図
【図３】本発明の実施の形態１における外枠ユニット挿入時の断面図
【図４】本発明の実施の形態１におけるシステムキッチン組み込み式の冷蔵庫の斜視図
【図５】従来のシステムキッチン組み込み式保冷庫の斜視図
【符号の説明】
【００２８】
９    システムキッチン本体の一部
１１    食器洗い乾燥機
１２    システムキッチン組み込み冷蔵庫
１７    吸排気口
１９    配管
２０    蛇口
２７    ペルチェ素子
３１    フィルター
３３    吸排気口一体型化粧版
【図１】
2005337682.tif 000003
【図２】
2005337682.tif 000004
【図３】
2005337682.tif 000005
【図４】
2005337682.tif 000006
【図５】
2005337682.tif 000007